(57)【特許請求の範囲】
【請求項１】
一方の面（１０ａ）と該面の反対側の背面（１０ｂ）とを有した板（１８）に形成された開口（１０）のための密閉装置において、
該密閉装置は、固締位置と非固締位置とを有し、更に、
前記開口（１０）に同心に挿入される中央部分（８）と、
前記中央部分（８）の長手の軸線（Ａ）に関して同心に設けられ、前記板（１８）の前記一方の面（１０ａ）に当接するようにした周囲のリップ（３）を有して成るカラー（２）と、
前記カラー（２）に枢動可能に取り付けられると共に、該密閉装置が前記固締位置にあるときに前記板（１８）の背面（１０ｂ）に当接するようになっている少なくとも一つの歯（６）とを具備し、
前記少なくとも一つの歯（６）は、前記中央部分（８）に枢動可能に取り付けられたフランジ（１２）にも固定されており、前記中央部分（８）は、前記フランジ（１２）を該密閉装置（１）の前記非固締位置から前記固締位置へ枢動させる押圧装置形成しており、
前記固締位置において、前記中央部分（８）の前記フランジ（１２）の枢動点（１３）が前記軸線（Ａ）に沿って、前記カラー（２）の前記少なくとも一つの歯（６）の枢動点（７）を越えて位置している密閉装置。
【請求項２】
前記少なくとも一つの歯（６）と前記フランジ（１２）とは、該密閉装置（１）が前記非固締位置にあるときに前記中央部分（８）の前記軸線（Ａ）に概ね平行であり、該密閉装置（１）が前記固締位置にあるときに前記軸線（Ａ）に対し傾斜している請求項１に記載の密閉装置。
【請求項３】
薄肉の可撓性材料からなる部分（１３）によって、前記中央部分（８）に前記フランジ（１２）を枢動可能に取り付けた請求項１または２に記載の密閉装置。
【請求項４】
薄肉の可撓性材料からなる第２の部分（７）によって、前記カラー（２）に前記少なくとも一つの歯（６）を枢動可能に取り付けた請求項１から３までのいずれか一項に記載の密閉装置。
【請求項５】
前記カラー（２）が、前記中央部分（８）の前記長手の軸線（Ａ）に対して同心に配置された筒状リング（５）を具備し、等間隔に離間された複数の歯（６）が該筒状リング（５）に枢動可能に取り付けられている請求項１から４までのいずれか一項に記載の密閉装置。
【請求項６】
薄肉の可撓性材料からなるリング（１７）によって、前記中央部分（８）に歯（６）を固定し、該リング（１７）はこれら歯（６）と整列された肉厚部分（１２）を具備すると共に、前記中央部分（８）に枢動可能に取り付けられたフランジ（１２）を形成するようになっている請求項５に記載の密閉装置。
【請求項７】
前記中央部分（８）及び前記カラー（２）が相補的な固締手段（１４，１６）を含み、該固締手段は該密閉装置（１）が前記固締位置にあるときに前記中央部分（８）を、前記カラー（２）内に引き込まれた位置に維持するようになっている請求項１から６までのいずれか一項に記載の密閉装置。
【請求項８】
カラー（２）が内側に周囲の溝（１６）を備えた周囲のリム（１５）を具備し、前記中央部分（８）に接続される固締要素（１４）が、溝（１６）に当接した状態に保持される前に、該リム（１５）によって弾性的に変形可能である請求項７に記載の密閉装置。
【請求項９】
前記中央部分（８）が、前記カラー（２）の前記溝（１６）に当接するようになっている環状の固締用フランジ（１４）を有する請求項８に記載の密閉装置。
【発明の詳細な説明】
【０００１】
【発明の属する技術分野】
本発明は金属製シートに形成される開口のための密閉装置に関し、特に自動車製造で用いられる密閉装置に関する。
【０００２】
【従来の技術】
この形式の密閉装置は鋼又はアルミニウム構造体、例えば自動車用ボディに形成された開口を密封的に閉鎖するのに用いられる。
このような密閉装置は通常、閉鎖される開口の輪郭にシールを提供するカラーを有する。
【０００３】
このカラーは一方では周囲のリップを有し、このリップは開口の周囲の面に密封的に当接するようになっている。また、このカラーは固締要素を具備し、これらの固締要素は密閉装置が固締位置にあるときに開口の背面に当接するようになっている。
これらの固締要素を、開口の周囲で枢動するようになっている一連の歯から形成することができる。
【０００４】
【発明が解決しようとする課題】
本発明の目的は取付が簡単でかつ信頼性高く、閉鎖される構造体の厚さに関わらず良好なシールを提供する密閉装置を提案することにある。
【０００５】
【課題を解決するための手段】
本発明の関する密閉装置は周囲のリップを具備したカラーを有し、リップは開口の面に当接するようになっており、密閉装置は少なくとも一つの歯を有し、少なくとも一つの歯はカラーに枢動可能に取り付けられると共に、密閉装置が固締位置にあるときに開口の背面に当接するようになっている。
本発明によれば、少なくとも一つの歯が、押圧装置を形成する中央部分に枢動可能に取り付けられたフランジにも固定され、押圧装置を形成する中央部分はフランジを密閉装置の非固締位置と固締位置との間で枢動させるようになっている。
【０００６】
従って、押圧装置を形成する中央部分が移動することによって、フランジが枢動せしめられ、その結果、このフランジに固締されている固締用歯が枢動せしめられる。
このようにして得られるカム原理によって、密閉装置が押し込まれ押圧装置を形成する中央部分が軸線方向に移動すると、固締用歯が自由に枢動できるようになり、それにより開口に対する密閉装置の挿着作用が確保される。
【０００７】
本発明の好ましい特徴によれば、少なくとも一つの歯とフランジとが、密閉装置が非固締位置にあるときに押圧装置を形成する中央部分の移動軸線に概ね平行であり、密閉装置が固締位置にあるときに移動軸線に対し傾斜している。
従って、フランジと、付設された歯とが、押圧装置を形成する中央部分と整列して延び、それにより、非固締位置にある密閉装置を開口内に挿入するときにこれらが干渉しないようにされる。
【０００８】
本発明の別の好ましい特徴によれば、密閉装置が固締位置にあるときに、押圧装置を形成する中央部分におけるフランジの枢動点が押圧装置を形成する中央部分の軸線に沿って、カラーにおける歯の枢動点を越えて位置している。
この構成により、歯が開口の背面にしっかりと当接され続ける。
【０００９】
本発明の有利な特徴によれば、薄肉の可撓性材料からなる部分によって、押圧装置を形成する中央部分にフランジが枢動可能に取り付けられる。
同様に、薄肉の可撓性材料からなる第２の部分によって、カラーに少なくとも一つの歯が枢動可能に取り付けられる。
従って、密閉装置をプラスチック材料から成型することにより、押圧装置を形成する中央部分にフランジの関節動作の点を、カラーに歯の関節動作の点をそれぞれ形成することができる。
【００１０】
本発明の別の好ましい特徴によれば、カラーが筒状リングを具備し、等間隔に離間された複数の歯が筒状リングに枢動可能に取り付けられている。
従って、周囲のリップと、カラーに等間隔に分散された様々な歯との間に、複数の固締位置が形成され、その結果、密閉装置を開口に信頼性高く保持することが確保される。
【００１１】
本発明の別の好ましい形態によれば、押圧装置を形成する中央部分及びカラーが相補的な固締手段を含み、固締手段は密閉装置が固締位置にあるときに押圧装置を形成する中央部分を、カラー内に引き込まれた位置に維持するようになっている。
これらの相補的な固締手段は、カラーの周囲のリップのと様々な歯とが協働することにより得られる固締作用だけでなく密閉装置の確実な固締作用を提供する。
【００１２】
押圧装置を形成する中央部分をカラー内に引き込まれた位置に維持することによって、固締位置にあるときに密閉装置により形成される構造体上の突出部分が制限される。
密閉装置を、例えば自動車の乗員室ないしコンパートメントで見ることができる装飾部分とすることができる。
【００１３】
本発明の実用的な態様によれば、カラーが内側に周囲の溝を備えた周囲のリムを具備し、押圧装置を形成する中央部分に接続される固締要素が、溝に当接した状態に保持される前に、リムによって弾性的に変形可能である。
密閉装置が開口内に挿着されるときに、押圧装置を形成する中央部分の行程の一端において、押圧装置を形成する中央部分がカラー内に自動的に固締される。
更に、周囲のリムが通過するときに固締要素が弾性変形することによって、固締クリック音が発生し、この固締クリック音はオペレータが聞くことのできる信号を構成し、従ってオペレータが密閉装置を正確に位置決めするのが保証される。
【００１４】
本発明の好ましい形態によれば、押圧装置を形成する中央部分が、カラーの溝に当接するようになっている環状の固締用フランジを有する。
従って、この環状の固締用フランジは押圧装置を形成する中央部分とカラーとの間で密閉装置に対し追加のシール作用を提供する。
本発明の他の特徴及び利点は以下の説明から明らかにされる。
【００１５】
【発明の実施の形態】
本発明の一実施態様による密閉装置を、図１を参照して説明する。
この密閉装置１は、鋼又はアルミニウム製のシート又は板、例えば自動車用ボディに形成される概ね円形の複数の開口を密封するのに用いられる。
これら開口は概して金属構造に形成され、その厚みは広い範囲内、典型的には０．７ｍｍから３ｍｍまでで変更することができる。
【００１６】
ここでは、板１８に円形開口１０が形成されている場合を説明する。
密閉装置１は周囲のリップ３を有するカラー２を具備し、このリップ３は開口１０の面１０ａ上に密封的に当接するようになっている。
このリップ３は比較的精密に形成されると共に、弾性的に変形可能になっている。
本実施態様においてリップ３は円錐台状面を形成し、この面は開口１０の輪郭に当接するようになっている。
【００１７】
また、カラー２はリップ３の頂部に円形状の肉厚部分ないし円形部分４を有する。
この円形部分４は好ましくは、リップ３とこの円形部分ないし肉厚領域４との間でカラー２の内部を延びるリブ４ａによって硬くされている。
【００１８】
カラー２はまた、円形部分４と整列された円筒状リング５を具備し、この円筒状リング５はこの円形部分４から、リップ３と同じ側に延びている。
この円筒状リング５は比較的剛直な壁を形成し、その直径は密閉されるべき開口１０の直径に適合せしめられる。
より正確には、この円筒状リング５の直径は密閉されるべき開口１０の直径にほぼ等しい。
このカラー２の様々な要素、即ちリップ３、円形部分４、及び円筒状リング５は密閉装置１の長手軸線Ａと共通の軸線に関し同心配置される。
【００１９】
密閉装置はまた、一連の歯６を有する。
本実施態様において、密閉装置は密閉装置の長手軸線Ａ周りに等間隔で離間された六つの歯を有するが、これに限定されない。
各歯はカラー２に、より正確には円筒状リング５の端部５ａ、即ちカラー２の円形部分４と反対側の端部に、枢動可能に取り付けられる。
【００２０】
円筒状リング５における各歯６の関節動作を確保するために、ヒンジ領域７が各歯６をこの円筒状リング５に接続している。
より正確には、可撓性のある薄い材料から形成されたリング７によって、これら歯６がカラー２の円筒状リング５上に取り付けられる。
この可撓性リング７も、カラー２と同心配置される。
【００２１】
各歯６は、密閉装置１が固締位置にあるときに開口の背面１０ｂに接触するようになっている壁６ａを有し、この壁６ａは密閉装置１の長手軸線Ａに対し傾斜する傾斜面ないし傾斜壁を形成する。
より正確には、この壁６ａは図１の立面図において、その最下点が密閉装置１の内部に向かうよう配置される傾斜面を形成する。
従って、これら歯６は概ね台形の形をなす。
【００２２】
また、密閉装置１は中央部分８を具備する。この中央部分を押圧装置８と称する。
この押圧装置８は内部がくり抜かれた円筒形状をなす。
より正確には、本実施態様において、押圧装置８は一端が概ね平坦な壁１１によって閉鎖された円筒状の壁９から形成され、この壁１１は押圧装置８を移動させるための当接面を形成する。
カラー２の円筒状リング５は及び押圧装置８は同心配置され、従って円筒状リング５は押圧装置８のための案内オリフィスを画定する。
【００２３】
また、各歯６はフランジ１２に固定されており、このフランジ１２は押圧装置８、より正確には、押圧装置の円筒状壁９の自由端９ａに、枢動可能に取り付けられている。
上述したように、歯６をカラー２に枢動可能に取り付けるために、薄い可撓性材料からなる部分１３によって、各フランジ１２が押圧装置８に枢動可能に取り付けられる。
歯６にそれぞれ付設された複数のフランジ１２が押圧装置８に取り付けられている本実施態様において、この部分ないしヒンジ領域１３は可撓性薄肉材料からなるリングないし部分１３によって形成される。
【００２４】
言い換えると、歯６は可撓性薄肉材料１３からなるリングによって、押圧装置８を形成する中央部分に固定され、このリングは歯６と整列された肉厚部分を具備し、これら肉厚部分がフランジ１２を形成するようになっており、これら肉厚部分自体がヒンジ領域１３において押圧装置８に枢動可能に取り付けられている。
従って、図１に明瞭に示されるように、各歯６と、付設される各フランジ１２とは、密閉装置１が非固締位置にあるときに押圧装置８の移動軸線Ａと一致する密閉装置の長手軸線Ａに対しほぼ平行をなしている。
【００２５】
更に、押圧装置８は環状の固定用フランジ１４を具備する。
本実施態様において、この環状フランジ１４は押圧装置の頂部ないし壁１１に向けて拡開する円錐台面を形成する。
【００２６】
また、カラー２は概ね円形部分４において、周囲のリム１５を有する。
このリム１５には、内側の周囲の溝１６が設けられる。環状フランジ１４の自由端１４ａによって形成される円の直径は、カラー２のリムないしエッジ１５によって形成される円の直径よりもわずかばかり大きい。
この密封装置全体を、成型によりプラスチック材料から形成することもできる。
【００２７】
次に、特に図２を参照して密閉装置１の作用を説明する。
この密閉装置は板１８の厚さｅに関わらず、開口１０を密封的に閉鎖するようになっている。
まず、図１に示されるように、歯６が開口１０を通過し、カラーの円筒状リング５が開口１０のエッジないし縁と接触して位置決めされるように、密閉装置１が開口１０内に配置される。
各歯の傾斜壁６ａによって、密閉装置が容易に開口内に配置される。
【００２８】
密閉装置が開口１０内に一旦位置決めされると、押圧装置８に圧力が作用せしめられてカラー２、より正確には、そのリップ３が開口１０の面１０ａに当接するようになる。
従って、円形部分４の補強用リブ４ａが開口１０の輪郭と接触するようになるまで、リップ３が変形する。
【００２９】
密閉装置１が非固締位置にあるときにカラー２から突出している押圧装置８は、移動軸線Ａに沿いつつ、カラー２の円筒状リング５により形成されるオリフィス内を移動する。
押圧装置８が開口１０の内部に向けて移動するときに、この押圧装置は各フランジ１２をヒンジ領域１３回りに枢動せしめ、その結果、各歯６をヒンジ領域７回りに枢動せしめる。
従って、図２に示されるような密閉装置の固締位置において、歯６と、付設されたフランジ１２とは押圧装置８の移動軸線Ａに対し傾斜する。
【００３０】
開口１０の背面１０ｂに当接するようになっている歯６の傾斜壁６ａによって、この開口１０の輪郭の下方における歯６のこの傾斜位置が特に得られる。
より正確には、押圧装置８の各フランジ１２のヒンジ領域１３における枢動点が、移動軸線Ａに沿った押圧装置８の押圧方向に、カラー２の各歯６のヒンジ領域における枢動点を越えて位置する。
従って、開口１０内の正規位置に密閉装置が固締される。
従って、押圧装置８がカラー２の円筒状部分ないしリング５の内部を移動するときに、環状フランジ１４は溝１６内部に戻る前に、カラー２のリム１５において弾性的に変形する。この溝１６は環状フランジ１４と接触し続けて押圧装置８がカラー２から突出するのを阻止する。
【００３１】
このように、環状フランジ１４が溝１６内の正規位置に位置すると、押圧装置８の移動行程の一端において固締作用が提供される。
更に、環状フランジ１４が弾性変形することによって、リム１５が通過するときに固締クリック音が発生し、この固締クリック音は密閉装置が開口１０内の正規位置に正確にあることを、オペレータに知らせる。
【００３２】
押圧装置８に作用する圧力が移動行程の一端において解放されると、リップ３の弾性復帰効果によって、歯６が開口１０の背面１０ｂに押圧せしめられる。
開口１０の周囲の下方でこのように傾斜している歯６は、板１８の厚さｅに関わらず板１８を強固にし、又は板１８にブレーシング作用を提供する。
従って、開口１０が形成される板の厚さに関わらず、密閉装置におけるシール作用が確保される。
【００３３】
例えばネジ回しのような適当な工具を用いて密閉装置を取り外すことができる。
実際には、レバーアーム動作ないしてこ作用と、工具の先端を環状フランジ１４回りに回転させることとにより押圧装置８をカラー２から突出させるために、工具の先端が環状フランジ１４と溝１６間に係合される。
このようにして非固締状態にされた密閉装置１は、手で取り外されかつできる限り再利用されるために、図１に示されるような初期位置に復帰する。
【００３４】
従って、単に押圧装置８を押圧するだけで聴覚的にかつ視覚的に固締することができ、板の厚さに関わらず良好な閉鎖シールを提供し、できる限り再利用することができる密閉装置が得られる。
【００３５】
当然のことながら、本発明の範囲から逸脱することなく、上述した実施態様に多くの改良を加えることができる。
従って、密閉装置に設けられる歯の数と配置ないし分配とを変更することができ、歯の数を例えば２から１２の間にすることもできる。
【００３６】
更に、環状フランジ１４と、カラー２の周囲の溝１６とからなる固締手段を変更することもできる。
例えば、環状フランジ１４を、密閉装置の長手軸線Ａ周りに複数の固締要素を形成する一つ又は複数の独立したフランジに置換することもできる。
【図面の簡単な説明】
【図１】非固締位置にある密閉装置の縦断面図である。
【図２】固締位置にありかつ長手軸線回りに対し３０°だけ回転させた、図１の密閉装置の縦断面図である。
【符号の説明】
１…密閉装置
２…カラー
３…リップ
６…歯
８…押圧装置
１０…開口
１２…フランジ
【図１】
0004842443.tif 000002
【図２】
0004842443.tif 000003